(57)【要約】      （修正有）【課題】受講者自身が自らに適した学習計画を立て，それに沿って学習できるようにする自己調整型学習システムを提供する。【解決手段】講師が講師用ＰＣ13から自分の担当する科目について，受講可能期間と登録可能期間とを支援装置12に設定する。これらの期間は，科目ごと，そのチャプターごと，またはコンテンツごとでもよい。受講者は，自己に適した（好都合な）学習スケジュールを立て，受講者用ＰＣ14から登録可能期間内に，受講可能期間において受講（学習）できるように，学習開始日時を支援装置12に設定する。受講者が受講者用ＰＣ14から設定した学習開始日時に支援装置12にアクセスすると，それの受講可能期間内であれば，設定した科目のコンテンツが管理装置11から受講者用ＰＣ14に送信される。【選択図】図１
2016224382.tif 000002
【特許請求の範囲】
【請求項１】
少なくとも１つの科目に関して，受講可能期間の入力を受入れて設定する受講可能期間設定手段，
少なくとも前記科目に関連して，受講者を特定する識別符号を伴う学習スケジュールの入力を受入れ，その学習スケジュールが上記受講可能期間設定手段によって設定された受講可能期間の条件を満たす場合に，前記受講者識別符号に関連して学習スケジュールを設定する学習スケジュール設定手段，および
受講者識別符号を伴う受講要求アクセスに応答して，該アクセスの時点が前記学習スケジュール設定手段によって設定された学習スケジュールの条件を満たす場合に，該学習スケジュールの科目のコンテンツの送信を許可するコンテンツ送信許可手段，
を備える自己調整学習支援装置。
【請求項２】
少なくとも前記科目に関して，登録可能期間の入力を受入れて設定する登録可能期間設定手段をさらに備え，
前記学習スケジュール設定手段は，前記学習スケジュールの入力の時点が前記登録可能期間設定手段によって設定された登録可能期間の条件を満たす場合に，学習スケジュールの設定を行うものである，
請求項１に記載の自己調整学習支援装置。
【請求項３】
前記学習スケジュール設定手段は，前記科目に関連して学習スケジュールの変更を所定回数のみ受付けるものである，請求項１または２に記載の自己調整学習支援装置。
【請求項４】
前記受講可能期間の入力が講師を特定する識別符号を伴うものである，請求項１に記載の自己調整学習支援装置。
【請求項５】
前記登録可能期間の入力が講師を特定する識別符号を伴うものである，請求項２に記載の自己調整学習支援装置。
【請求項６】
前記受講可能期間が，前記科目，前記科目のチャプターまたは前記科目のコンテンツを単位として定められるものである，請求項１に記載の自己調整学習支援装置。
【請求項７】
前記登録可能期間が，前記科目，前記科目のチャプターまたは前記科目のコンテンツを単位として定められるものである，請求項２に記載の自己調整学習支援装置。
【請求項８】
前記受講可能期間は，受講者のグループに応じて定められる，請求項１に記載の自己調整学習支援装置。
【請求項９】
前記受講可能期間は，受講開始日時と起動可能時間により規定される，請求項１に記載の自己調整学習支援装置。
【請求項１０】
学習スケジュールは学習開始日時により規定される，請求項１に記載の自己調整学習支援装置。
【請求項１１】
受講者を特定する識別符号を伴う受講開始時間警告送付時間の入力を受付け，前記受講者識別符号に関連して受講開始時間警告送付時間を設定する警告時間設定手段，および
受講者の識別符号に関連して設定された学習スケジュールによって定められる学習時間よりも，該受講者識別符号に関連して設定された受講開始時間警告送付時間前の時点に受講開始時間警告を該受講者識別符号の受講者に向けて発信する警告手段，
をさらに備える，請求項１に記載の自己調整学習支援装置。
【請求項１２】
受講者による学習の情況に応じて，当該受講者の識別符号に関連して受講ステータスを変更する受講ステータス変更手段，をさらに備える請求項１に記載の自己調整学習支援装置。
【請求項１３】
受講ステータス変更の条件の入力を受付けて設定する受講ステータス変更条件設定手段をさらに備える請求項12に記載の自己調整学習支援装置。
【請求項１４】
少なくとも１つの科目に関連して，受講者を特定する識別符号を伴う学習スケジュールの入力を受入れ，その学習スケジュールがあらかじめ設定された受講可能期間の条件を満たす場合に，前記受講者識別符号に関連して学習スケジュールを設定する学習スケジュール設定手段，および
受講者識別符号を伴う受講要求アクセスに応答して，該アクセスの時点が前記学習スケジュール設定手段によって特定された学習スケジュールの条件を満たす場合に，該学習スケジュールの科目のコンテンツの送信を許可するコンテンツ送信許可手段，
を備える自己調整学習支援装置。
【請求項１５】
前記学習スケジュール設定手段は，前記学習スケジュールの入力の時点があらかじめ設定された登録可能期間の条件を満たす場合に，学習スケジュールの設定を行うものである，
請求項14に記載の自己調整学習支援装置。
【請求項１６】
少なくとも１つの科目に関して，受講可能期間の入力を受入れてメモリに記憶し，
少なくとも前記科目に関連して，受講者を特定する識別符号を伴う学習スケジュールの入力を受入れ，その学習スケジュールが，記憶された受講可能期間の条件を満たす場合に，前記受講者識別符号に関連して学習スケジュールをメモリに記憶し，
受講者識別符号を伴う受講要求アクセスに応答して，該アクセスの時点が前記記憶された学習スケジュールの条件を満たす場合に，該学習スケジュールの科目のコンテンツの送信を許可する，
自己調整学習支援装置の動作方法。
【請求項１７】
少なくとも前記科目に関して，登録可能期間の入力を受入れてメモリに記憶し，
前記学習スケジュールの入力の時点が記憶された登録可能期間の条件を満たす場合に，学習スケジュールの記憶を行う，
請求項16に記載の自己調整学習支援装置の動作方法。
【請求項１８】
少なくとも１つの科目に関して，受講可能期間のコンピュータへの入力を受入れてメモリに記憶し，
少なくとも前記科目に関連して，受講者を特定する識別符号を伴う学習スケジュールのコンピュータへの入力を受入れ，その学習スケジュールが，記憶された受講可能期間の条件を満たす場合に，前記受講者識別符号に関連して学習スケジュールをメモリに記憶し，
受講者識別符号を伴うコンピュータへの受講要求アクセスに応答して，該アクセスの時点が前記記憶された学習スケジュールの条件を満たす場合に，該学習スケジュールの科目のコンテンツの送信を許可するようにコンピュータを制御する，
自己調整学習支援プログラム。
【請求項１９】
少なくとも前記科目に関して，登録可能期間のコンピュータへの入力を受入れてメモリに記憶し，
前記学習スケジュールの入力の時点が記憶された登録可能期間の条件を満たす場合に，学習スケジュールの記憶を行うようにコンピュータを制御する，
請求項18に記載の自己調整学習支援プログラム。
【請求項２０】
少なくとも１つの科目に関して，受講可能期間の入力を受入れて設定する受講可能期間設定手段，
少なくとも前記科目に関連して，受講者を特定する識別符号を伴う学習スケジュールの入力を受入れ，その学習スケジュールが上記受講可能期間設定手段によって設定された受講可能期間の条件を満たす場合に，前記受講者識別符号に関連して学習スケジュールを設定する学習スケジュール設定手段，および
受講者識別符号を伴う受講要求アクセスに応答して，該アクセスの時点が前記学習スケジュール設定手段によって設定された学習スケジュールの条件を満たす場合に，該学習スケジュールの科目のコンテンツを送信するコンテンツ送信手段，
を備える自己調整型学習支援システム。
【請求項２１】
少なくとも前記科目に関して，登録可能期間の入力を受入れて設定する登録可能期間設定手段をさらに備え，
前記学習スケジュール設定手段は，前記学習スケジュールの入力の時点が前記登録可能期間設定手段によって設定された登録可能期間の条件を満たす場合に，学習スケジュールの設定を行うものである，
請求項20に記載の自己調整型学習支援システム。
【請求項２２】
少なくとも１つの科目に関連して，受講者を特定する識別符号を伴う学習スケジュールの入力を受入れ，その学習スケジュールがあらかじめ設定された受講可能期間の条件を満たす場合に，前記受講者識別符号に関連して学習スケジュールを設定する学習スケジュール設定手段，および
受講者識別符号を伴う受講要求アクセスに応答して，該アクセスの時点が前記学習スケジュール設定手段によって設定された学習スケジュールの条件を満たす場合に，該学習スケジュールの科目のコンテンツを送信するコンテンツ送信手段，
を備える自己調整型学習支援システム。
【請求項２３】
前記学習スケジュール設定手段は，前記学習スケジュールの入力の時点があらかじめ設定された登録可能期間の条件を満たす場合に，学習スケジュールの設定を行うものである，
請求項22に記載の自己調整型学習支援システム。
【請求項２４】
少なくとも１つの科目に関して，受講可能期間のコンピュータへの入力を受入れてメモリに記憶し，
少なくとも前記科目に関連して，受講者を特定する識別符号を伴う学習スケジュールのコンピュータへの入力を受入れ，その学習スケジュールが，記憶された受講可能期間の条件を満たす場合に，前記受講者識別符号に関連して学習スケジュールをメモリに記憶し，
受講者識別符号を伴うコンピュータへの受講要求アクセスに応答して，該アクセスの時点が前記記憶された学習スケジュールの条件を満たす場合に，該学習スケジュールの科目のコンテンツを送信する，
自己調整型学習支援システムの動作方法。
【請求項２５】
少なくとも前記科目に関して，登録可能期間のコンピュータへの入力を受入れてメモリに記憶し，
前記学習スケジュールの入力の時点が記憶された登録可能期間の条件を満たす場合に，学習スケジュールの記憶を行う，
請求項24に記載の自己調整型学習支援システムの動作方法。
【請求項２６】
少なくとも１つの科目に関して，受講可能期間のコンピュータへの入力を受入れてメモリに記憶し，
少なくとも前記科目に関連して，受講者を特定する識別符号を伴う学習スケジュールのコンピュータへの入力を受入れ，その学習スケジュールが，記憶された受講可能期間の条件を満たす場合に，前記受講者識別符号に関連して学習スケジュールをメモリに記憶し，
受講者識別符号を伴うコンピュータへの受講要求アクセスに応答して，該アクセスの時点が前記記憶された学習スケジュールの条件を満たす場合に，該学習スケジュールの科目のコンテンツを送信するようにコンピュータを制御する，
自己調整型学習支援プログラム。
【請求項２７】
少なくとも前記科目に関して，登録可能期間のコンピュータへの入力を受入れてメモリに記憶し，
前記学習スケジュールの入力の時点が記憶された登録可能期間の条件を満たす場合に，学習スケジュールの記憶を行うようにコンピュータを制御する，
請求項26に記載の自己調整型学習支援プログラム。
【発明の詳細な説明】
【技術分野】
【０００１】
この発明は自己調整型（self-regulated）学習システム，同学習システムの動作方法およびプログラム，ならびに同学習システムの一構成要素である自己調整学習支援装置，同装置の動作方法およびプログラムに関する。
【背景技術】
【０００２】
受講者の都合にあわせて手軽に学習できる非同期分散型のｅラーニング，モバイル・ラーニングは，ネットワークインフラが充実するにつれて「いつでもどこでも」をキャッチフレーズにかなり普及してきた。しかしながら，受講締切り間際に駆け込み受講する受講者が増大したり，ドロップアウト（受講中止）率が高いという問題点が指摘されている。
【０００３】
これらの問題点を解決するために，上記とは全く逆の発想，すなわち受講者を監視，管理するという視点でｅラーニングシステムが構築されている。それは大体，次の３つの機能に分けて考えることができる。
【０００４】
１）受講スケジュールを登録し，それを受講者に通知する機能
２）実際の受講者の学習ペースと数理モデルをマッチングし，受講ペースを予測して，それが受講を完了しないペースである場合，警告を発する機能
３）事前に想定される標準的な学習ペースに基づいて学習支援者からの適切タイミングで助言する機能
【０００５】
次の特許文献１〜４に記載の支援システムも受講者の監視，管理という観点から構築されているものである。
【０００６】
特許文献１
教育現場環境で行なわれた教育に対する反応または評価の履歴に基づいてＩＣＴ（Information and Communications Technology）教育の質の向上を図ろうとするもの
特許文献２
受講者が学習を中止することを早期に予測するもの
特許文献３
利用者の実行履歴，残り期間等に基づき利用者の行動を評価するもの
特許文献４
グループ学習を支援するもの
【先行技術文献】
【特許文献】
【０００７】
【特許文献１】特開２０１４−７５０６６号公報
【特許文献２】特開２０１４−９２９３８号公報
【特許文献３】特開２０１４−１１５４２７号公報
【特許文献４】特開２０１４−１９４４５８号公報
【発明の概要】
【０００８】
この発明は，受講者自身が自らに適した学習計画を立てることのできる自己調整型の学習システム，同システムにおける動作方法および同システムのためのプログラムを提供するものである。
【０００９】
この発明はまた，上記自己調整型学習システムの一構成要素である自己調整学習支援装置，同装置の動作方法およびプログラムを提供するものである。
【００１０】
この発明による自己調整学習支援装置は，少なくとも１つの科目に関して，受講可能期間の入力を受入れて設定する受講可能期間設定手段，少なくとも前記科目に関連して，受講者を特定する識別符号を伴う学習スケジュールの入力を受入れ，その学習スケジュールが上記受講可能期間設定手段によって設定された受講可能期間の条件を満たす場合に，前記受講者識別符号に関連して学習スケジュールを設定する学習スケジュール設定手段，および受講者識別符号を伴う受講要求アクセスに応答して，該アクセスの時点が前記学習スケジュール設定手段によって設定された学習スケジュールの条件を満たす場合に，該学習スケジュールの科目のコンテンツの送信を許可するコンテンツ送信許可手段を備えるものである。
【００１１】
好ましい実施態様においては，この装置はさらに少なくとも前記科目に関して，登録可能期間の入力を受入れて設定する登録可能期間設定手段を備え，前記学習スケジュール設定手段は，前記学習スケジュールの入力の時点が前記登録可能期間設定手段によって設定された登録可能期間の条件を満たす場合に，学習スケジュールの設定を行う。
【００１２】
講師は自分の受持つ科目に関してコンテンツの学習時間を想定し，学習の順番等を考慮して，適切な受講可能期間を設定する（コンテンツ自体はコンテンツ管理装置等に準備する）。また，登録可能期間を設定する。受講者は，自分の行動計画に合致した（自分に都合の良い）学習スケジュールを立てる。受講者は自分の立てた学習スケジュール以外では受講（学習）することができない。
【００１３】
このようにして，講師，受講者の双方にとって好都合な時間配分の設定が可能である。特に，受講者はｅラーニングシステムによって強制される時間ではなく，自らが立てた学習計画に沿って学習することが可能となる。学習計画立案能力の向上と，学習そのものの前進が期待できる。
【００１４】
望ましい実施態様では，前記学習スケジュール設定手段は，前記科目に関連して学習スケジュールの変更を所定回数のみ受付けるものである。
【００１５】
最初に立てた学習計画に無理があった場合に，少なくとも１回，学習スケジュールの変更が可能であるから，再考の上，自分により適した学習計画を立てて進むことができる。いわゆる駆け込み受講が低減することが期待できる。前記所定回数は１回であることが好ましい。
【００１６】
前記受講可能期間や登録可能期間は講師が入力するので，その入力には講師を特定する識別符号を伴う。識別符号には講師のＩＤ，パスワード，ユーザＩＤ，その他の番号，記号を用いることができる。学習スケジュールは受講者が入力するので，上記の通り受講者を特定する識別符号の入力を伴う。
【００１７】
前記受講可能期間は，前記科目，前記科目のチャプターまたは前記科目のコンテンツを単位として定められる。前記登録可能期間は，前記科目，前記科目のチャプターまたは前記科目のコンテンツを単位として定められる。このようにして，受講可能期間や登録可能期間をきめ細かに定めることができる。
【００１８】
好ましい実施態様では，前記受講可能期間や登録可能期間は，受講者のグループに応じて定められる。受講者のグループ化は入学年度，学科，入社年度，部，課，またはアンケート結果，その他の観点から行うことができる。
【００１９】
一実施態様では，前記受講可能期間は，受講開始日時と起動可能時間により規定される。起動可能時間は固定でもよいが，講師が科目やグループ等に応じて変えて入力することができるようにしてもよい。受講終了日時は受講開始日時に起動可能時間を加えて算出される。
【００２０】
一実施態様では，学習スケジュールは学習開始日時により規定される。受講者は学習開始日時を入力するだけでよいことになる。
【００２１】
好ましい実施態様では，自己調整学習支援装置は，受講者を特定する識別符号を伴う受講開始時間警告送付時間の入力を受付け，前記受講者識別符号に関連して受講開始時間警告送付時間を設定する警告時間設定手段，および受講者の識別符号に関連して設定された学習スケジュールによって定められる学習時間よりも，該受講者識別符号に関連して設定された受講開始時間警告送付時間前の時点に受講開始時間警告を該受講者識別符号の受講者に向けて発信する警告手段をさらに備える。
【００２２】
受講者は自分の希望する警告送付時間を定めることができる。受講（学習）を行う日時よりも，この警告送付時間だけ前の時点で警告を受けることができるので，受講を失念してしまうおそれが低減する。
【００２３】
受講者による学習の情況に応じて，当該受講者の識別符号に関連して受講ステータスを変更する受講ステータス変更手段をさらに設けることが好ましい。
【００２４】
受講者の学習の情況，たとえば休むことなく連続して所定回数受講している，学習スケジュールを変更することなく連続して所定回数受講していることなどに応じて，受講ステータスを上げていくことにより，インセンティブとしての役割を果たし，学習意欲を高め，自発的学習が一層長続きするようになる。
【００２５】
自己調整学習支援装置は，受講ステータス変更の条件の入力を受付けて設定する受講ステータス変更条件設定手段をさらに備えるとよい。ステータス変更条件は講師が設定することになるだろう。
【００２６】
受講可能期間が既に設定されているこの発明による自己調整学習支援装置は，少なくとも１つの科目に関連して，受講者を特定する識別符号を伴う学習スケジュールの入力を受入れ，その学習スケジュールがあらかじめ設定された受講可能期間の条件を満たす場合に，前記受講者識別符号に関連して学習スケジュールを設定する学習スケジュール設定手段，および受講者識別符号を伴う受講要求アクセスに応答して，該アクセスの時点が前記学習スケジュール設定手段によって特定された学習スケジュールの条件を満たす場合に，該学習スケジュールの科目のコンテンツの送信を許可するコンテンツ送信許可手段を備える。
【００２７】
登録可能期間が既に設定されているこの発明による自己調整学習支援装置において，前記学習スケジュール設定手段は，前記学習スケジュールの入力の時点があらかじめ設定された登録可能期間の条件を満たす場合に，学習スケジュールの設定を行うものである。
【００２８】
上記の自己調整学習支援装置は，通常はコンピュータにより実現される。このコンピュータ，すなわち自己調整学習支援装置の動作方法は次の通りである。
【００２９】
すなわち，この発明による自己調整学習支援装置の動作方法は，少なくとも１つの科目に関して，受講可能期間の入力を受入れてメモリに記憶し，少なくとも前記科目に関連して，受講者を特定する識別符号を伴う学習スケジュールの入力を受入れ，その学習スケジュールが，記憶された受講可能期間の条件を満たす場合に，前記受講者識別符号に関連して学習スケジュールをメモリに記憶し，受講者識別符号を伴う受講要求アクセスに応答して，該アクセスの時点が前記記憶された学習スケジュールの条件を満たす場合に，該学習スケジュールの科目のコンテンツの送信を許可するものである。
【００３０】
さらにこの動作方法は，好ましくは，少なくとも前記科目に関して，登録可能期間の入力を受入れてメモリに記憶し，前記学習スケジュールの入力の時点が記憶された登録可能期間の条件を満たす場合に，学習スケジュールの記憶を行う。
【００３１】
この発明はコンピュータを制御するための自己調整学習支援プログラムを提供している。このプログラムは，少なくとも１つの科目に関して，受講可能期間のコンピュータへの入力を受入れてメモリに記憶し，少なくとも前記科目に関連して，受講者を特定する識別符号を伴う学習スケジュールのコンピュータへの入力を受入れ，その学習スケジュールが，記憶された受講可能期間の条件を満たす場合に，前記受講者識別符号に関連して学習スケジュールをメモリに記憶し，受講者識別符号を伴うコンピュータへの受講要求アクセスに応答して，該アクセスの時点が前記記憶された学習スケジュールの条件を満たす場合に，該学習スケジュールの科目のコンテンツの送信を許可するようにコンピュータを制御するものである。
【００３２】
さらに望ましくは，このプログラムは，少なくとも前記科目に関して，登録可能期間のコンピュータへの入力を受入れてメモリに記憶し，前記学習スケジュールの入力の時点が記憶された登録可能期間の条件を満たす場合に，学習スケジュールの記憶を行うようにコンピュータを制御するものである。
【００３３】
上述した自己調整学習支援装置は好ましくは一台のコンピュータによって実現される。自己調整学習支援装置を，ネットワークで接続された複数台のコンピュータにより実現することもできるし，クラウドコンピューティングによって実現することもできる。このようなシステム化された構成を自己調整型学習支援システムと呼ぶ。
【００３４】
この発明による自己調整型学習支援システムは，少なくとも１つの科目に関して，受講可能期間の入力を受入れて設定する受講可能期間設定手段，少なくとも前記科目に関連して，受講者を特定する識別符号を伴う学習スケジュールの入力を受入れ，その学習スケジュールが上記受講可能期間設定手段によって設定された受講可能期間の条件を満たす場合に，前記受講者識別符号に関連して学習スケジュールを設定する学習スケジュール設定手段，および受講者識別符号を伴う受講要求アクセスに応答して，該アクセスの時点が前記学習スケジュール設定手段によって設定された学習スケジュールの条件を満たす場合に，該学習スケジュールの科目のコンテンツを送信するコンテンツ送信手段を備える。上記の各手段はネットワーク上で分散して存在してもよい。
【００３５】
上記自己調整型学習支援システムは，好ましくは少なくとも前記科目に関して，登録可能期間の入力を受入れて設定する登録可能期間設定手段をさらに備える。そして前記学習スケジュール設定手段が，前記学習スケジュールの入力の時点が前記登録可能期間設定手段によって設定された登録可能期間の条件を満たす場合に，学習スケジュールの設定を行う。
【００３６】
受講可能期間が既に設定された自己調整型学習支援システムは，少なくとも１つの科目に関連して，受講者を特定する識別符号を伴う学習スケジュールの入力を受入れ，その学習スケジュールがあらかじめ設定された受講可能期間の条件を満たす場合に，前記受講者識別符号に関連して学習スケジュールを設定する学習スケジュール設定手段，および受講者識別符号を伴う受講要求アクセスに応答して，該アクセスの時点が前記学習スケジュール設定手段によって設定された学習スケジュールの条件を満たす場合に，該学習スケジュールの科目のコンテンツを送信するコンテンツ送信手段を備える。
【００３７】
登録可能期間が既に設定された自己調整型学習支援システムでは，前記学習スケジュール設定手段は，前記学習スケジュールの入力の時点があらかじめ設定された登録可能期間の条件を満たす場合に，学習スケジュールの設定を行う。
【００３８】
この発明はまた，自己調整型学習支援システムの動作方法も提供している。この動作方法は，少なくとも１つの科目に関して，受講可能期間のコンピュータへの入力を受入れてメモリに記憶し，少なくとも前記科目に関連して，受講者を特定する識別符号を伴う学習スケジュールのコンピュータへの入力を受入れ，その学習スケジュールが，記憶された受講可能期間の条件を満たす場合に，前記受講者識別符号に関連して学習スケジュールをメモリに記憶し，受講者識別符号を伴うコンピュータへの受講要求アクセスに応答して，該アクセスの時点が前記記憶された学習スケジュールの条件を満たす場合に，該学習スケジュールの科目のコンテンツを送信するものである。
【００３９】
好ましい実施態様では，少なくとも前記科目に関して，登録可能期間のコンピュータへの入力を受入れてメモリに記憶し，前記学習スケジュールの入力の時点が記憶された登録可能期間の条件を満たす場合に，学習スケジュールの記憶を行う。
【００４０】
この発明はさらに，自己調整型学習支援プログラムを提供している。このプログラムは，少なくとも１つの科目に関して，受講可能期間のコンピュータへの入力を受入れてメモリに記憶し，少なくとも前記科目に関連して，受講者を特定する識別符号を伴う学習スケジュールのコンピュータへの入力を受入れ，その学習スケジュールが，記憶された受講可能期間の条件を満たす場合に，前記受講者識別符号に関連して学習スケジュールをメモリに記憶し，受講者識別符号を伴うコンピュータへの受講要求アクセスに応答して，該アクセスの時点が前記記憶された学習スケジュールの条件を満たす場合に，該学習スケジュールの科目のコンテンツを送信するようにコンピュータを制御するものである。
【００４１】
好ましい実施態様では，上記プログラムは，少なくとも前記科目に関して，登録可能期間のコンピュータへの入力を受入れてメモリに記憶し，前記学習スケジュールの入力の時点が記憶された登録可能期間の条件を満たす場合に，学習スケジュールの記憶を行うようにコンピュータを制御する。
【図面の簡単な説明】
【００４２】
【図１】自己調整型学習システムの全体的構成を示すブロック図である。
【図２】ユーザマスタの一例の一部を示す。
【図３】所属マスタの一例の一部を示す。
【図４】科目マスタの一例の一部を示す。
【図５】コンテンツマスタの一例の一部を示す。
【図６】フォルダマスタの一例の一部を示す。
【図７】受講ステータスマスタの一例の一部を示す。
【図８】ユーザ設定スケジュールデータの一例の一部を示す。
【図９】学習開始告知データの一例の一部を示す。
【図１０】進捗データの一例の一部を示す。
【図１１】受講ステータス管理データの一例の一部を示す。
【図１２】支援装置における講師による各種設定処理を示すフローチャートである。
【図１３】支援装置における個別設定処理を示すフローチャートである。
【図１４】講師用ＰＣにおいて講師が科目を選択するときの画面の一例を示す。
【図１５】講師用ＰＣにおいて講師が受講可能期間を設定するときの画面の一例を示す。
【図１６】講師用ＰＣにおいて講師がステータス上昇判断基準を設定するときの画面の一例を示す。
【図１７】講師用ＰＣにおいて講師が設定した各種期間，条件を確認するときの画面の一例を示す。
【図１８】支援装置において受講者によるアクセスがあったときの処理を示すフローチャートである。
【図１９】管理装置におけるコンテンツ配信，管理処理を示すフローチャートである。
【図２０】受講者用ＰＣから支援装置にアクセスしたときに受講者用ＰＣに表示される画面の一例を示す。
【図２１】受講者用ＰＣにおいて受講者が科目を選択するときの画面の一例を示す。
【図２２】受講者用ＰＣにおいて受講者が受講スケジュールを設定するときの画面の一例を示す。
【図２３】受講者用ＰＣにおいて受講者が学習開始日時を設定するときの画面の一例を示す。
【図２４】受講者用ＰＣにおいて受講者が設定したスケジュールを確認するときの画面の一例を示す。
【図２５】学習許可通知画面の一例を示す。
【図２６】学習スケジュール確認画面の一例を示す。
【実施例】
【００４３】
図１は自己調整型学習システムの全体的構成を示している。
【００４４】
自己調整型学習システム10は，コンテンツ管理装置11，自己調整学習支援装置12，講師用ＰＣ（パーソナルコンピュータ）13および受講者用ＰＣ14を含み，これらの装置，機器が通信網（ネットワーク）15により通信（交信）可能に接続される。通信網15はたとえばインターネットにより実現される。コンテンツ管理装置11はいわゆるＬＭＳ（Learning Management System）を利用して実現することができ，コンテンツを管理してその配信（送信）を行う。自己調整学習支援装置12は，受講者が自らの意志で学習スケジュールを作成し，そのスケジュールにしたがってｅラーニング学習するのを支援する装置である。これらのコンテンツ管理装置11および自己調整学習支援装置12はコンピュータシステム，たとえばサーバにより構成され，データベース装置を備えている。以下，コンテンツ管理装置を単に「管理装置」といい，自己調整学習支援装置を単に「支援装置」という。１または複数台の講師用ＰＣ13は支援装置12に各種の設定を行ったり，講師が作成したコンテンツを管理装置11にアップロードしたりするために用いられる。１または複数台の受講者用ＰＣ14は受講者が自己のスケジュールを設定したり，ｅラーニングをするために管理装置11から送信されるコンテンツを受信して表示（音声を伴う上映を含む）するためのものである。これらのＰＣ13，14はいわば端末装置であり，モバイル端末を含む。図２から図11は支援装置12のデータベース装置（以下，単に「データベース」という）内に設けられている（または設定や登録により作成される）マスタファイルやデータファイルの構成（構造）の一部を示すものである。以下，これらのファイルを単に「マスタ」，「データ」ということがある。
【００４５】
図２はユーザマスタの一例を示している。ユーザは広い概念で，この実施例では，ｅラーニングを受講する受講者（学生，会社の従業員，その他の人々），コンテンツを作成したり，講義，講演，講習等を行う人である講師，システム10や装置11，12の管理（メンテナンスを含む）を行うシステム管理者等がユーザに含まれる。
【００４６】
ユーザマスタは，ユーザごとに（ユーザに関連づけて），ユーザＩＤ，その識別番号（学生番号，従業員番号等），姓（漢字），名（漢字），それらの読み方（カタカナ），所属ＩＤ，メールアドレス，入社入学年度，性別，権限等のデータを含む。所属ＩＤの所属とは，学生の場合には学部，学科，従業員の場合には部，課などである。所属ＩＤ，入社入学年度，事前に行ったアンケートの結果（図示略）などは，受講者をグループ化するのに用いられる。グループ化は，受講できる科目や各種時間帯をグループに応じて設定するため等に利用される。性別は１が男，２が女である。権限ＩＤは，０が管理者，１が講師，２が受講者である。
【００４７】
図３は所属マスタの一例を示す。所属ＩＤごとにその名称が記述（メモリに記憶，格納）されている。
【００４８】
図４は科目マスタの一例を示す。科目はこのシステムが提供する学習学科の単位であり，一般にコースともいわれる。科目は一または複数のチャプターに分けられ，各チャプターには一または複数のコンテンツが含まれる。コンテンツは視覚的または聴覚的に伝達可能な文字，数字等のキャラクタ，図形，画像（静止画，動画），音により表現されたもので，学習教材の最小の単位を構成する。もっとも，一つの科目が一つのコンテンツにより構成されることもある。チャプターは，一または複数のコンテンツを格納するという意味でフォルダと呼ばれることもある。コンテンツはそのタイプ（表現のタイプ，データの形態）により，映像，スライド資料（たとえば，パワーポイントデータ），ＨＴＭＬ文書，テキストファイル，ｐｄｆ等に分類されることもある。ＰＣを通してコンテンツを視聴することを受講というが，場合によっては学習，閲覧等と表現することもある。
【００４９】
図４において，科目マスタは，科目ごとに（科目に関連づけて），科目ＩＤ，ユーザＩＤ，科目名，科目開始日時，同終了日時，支援装置支援期間開始日時，同終了日時，受講可能期間ステータスおよび受講者登録可能期間ステータスを含む。ユーザＩＤは，主にその科目を担当する講師のＩＤである。
【００５０】
科目開始日時および同終了日時は，該当科目の開講期間を示す。支援装置支援開始日時および同終了日時は支援装置12が支援動作（稼働）をする期間（稼働期間）を示す。
【００５１】
受講可能期間ステータスは受講可能期間（図８に示すユーザ設定スケジュールデータ・ファイルに記述される）の決め方を示す。このステータスが０のときは，その科目については科目開講期間の全期間にわたって受講可能であることを示す。このステータスが１のときは，その科目についてはチャプター単位で受講可能期間を定めることを示す。このステータスが２のときは，その科目についてはコンテンツ単位で受講可能期間を定めることを示す。
【００５２】
図４の例では，科目開講期間の方が支援装置稼働期間よりも長い（科目終了日時の方が支援期間終了日よりも遅い）。受講可能期間ステータスが０（科目開講期間）であったとすると，これは，支援装置12による支援稼働期間が終了しても，受講可能であるか，支援装置12の介在なしに受講可能であることを示す。
【００５３】
このシステムでは，受講者が自分で学習（受講）スケジュールを立てる場合において，受講する日時を受講者登録可能期間（図５のコンテンツマスタに記述されている）内で自分で設定する。受講者登録可能期間ステータスは，この登録可能期間の決め方を示す。このステータスが０の場合は，科目全体で一律に定めることを示し，１の場合はチャプター単位で定めることを示し，２の場合はコンテンツ単位で定めることを意味し，３は受講者登録可能期間を設定しないことを示す。
【００５４】
重要なことは，科目開始日時，同終了日時，支援装置支援期間開始日時，同終了日時，受講可能期間ステータスおよび受講者登録可能期間ステータスは，ユーザのうちの講師が講師用ＰＣ13において設定する（できる）ということである。これらの科目開講期間，支援装置の支援期間（稼働期間），受講可能期間および受講者登録可能期間は受講者にとっては，受講（学習）の制限として作用する。受講者はこのような制限の中で，自ら学習スケジュールを立てることになる。
【００５５】
図５はコンテンツマスタの一例を示す。コンテンツマスタはコンテンツごとに（コンテンツに関連づけて），そのコンテンツＩＤ，そのコンテンツの属する科目の科目ＩＤ，担当する講師のユーザＩＤ，そのコンテンツが格納されるフォルダを示すフォルダＩＤ，コンテンツ名，ファイルパスおよび受講者登録可能期間を含む。ファイルパスは，そのコンテンツを所在を示すもので，通常，管理装置11のページ（ＵＲＬ）を表わす。受講者登録可能期間は開始マスタ（開始日時）と期限マスタ（終了日時）によって規定される。そのコンテンツを受講しようとする受講者は，対応する受講者登録可能期間内に受講する旨の設定（登録）を受講者用ＰＣ14から行なわなければならない。コンテンツＩＤがcom100102とcom100103のコンテンツ（インストラクショナル・デザイン概論１，２）はフォルダＩＤが同じなので，同じフォルダ内に入れられている。このように一つのフォルダに入っている複数のコンテンツについては，受講者登録可能期間をフォルダ単位で設定することが可能である（図４において，受講者登録可能期間ステータスが１）。なお，フォルダＩＤのnullはフォルダが無いことを示す。
【００５６】
図５に示すコンテンツマスタにおいても重要なことは，受講者登録可能期間は，講師が講師用ＰＣ13において設定するということである。
【００５７】
図６はフォルダマスタの一例を示す。フォルダマスタは，フォルダごとに，そのフォルダＩＤ，そのフォルダが属する科目の科目ＩＤ，担当講師のユーザＩＤ，フォルダ名，およびそのフォルダの存在する場所へのフォルダパスを含む。
【００５８】
図７は受講ステータスマスタを示す。この自己調整型学習システムは，受講者自らが受講可能期間内において受講スケジュール（計画）を立てて登録し，その登録した受講時間内で自らすすんで受講（学習）するものである。自分の立てた受講スケジュールを守ってその通りに実行する受講の積上げが重要である。そこで，最初に立てたスケジュール（ユーザが登録した学習開始日時，図８参照）を変更せずに（後述するように１回に限って変更可能である）受講した回数に応じて，より高い受講ステータスを与え，受講のインセンティブを高めるようにしたのが受講ステータスである。
【００５９】
この受講ステータスは図７に示す例では，科目ごとに設定され，４段階であり，下から「一般」，「シルバー」，「ゴールド」，「プラチナ」（受講ステータス名，受講ステータスＩＤ）の順に上る。上昇条件は，受講ステータスを１つ上げるための受講スケジュールを変更せずに受講した回数を示す。受講ステータスが「一般」から「シルバー」に上るための上昇条件は５である。すなわちスケジュール変更なしに５回受講したときに，「一般」から「シルバー」に上る。それより上の受講ステータスに上るための上昇条件も５である。「一般」は最も下のレベルであるから上昇条件はなく，すなわち「null」である。受講ステータスの名称，段階数，上昇条件も講師によって設定される。
【００６０】
図８は，ユーザ設定スケジュールデータ・ファイルの一例を示している。このファイルでユーザとは基本的に受講者を指すが，場合によっては講師の場合もある（講師が受講者の学習開始日時を変更する場合など）。ユーザ設定スケジュールとは，学習（受講）開始日時を設定することを指す。学習開始日時はコンテンツごとに記憶される。
【００６１】
ユーザ設定スケジュールデータは，ユーザとコンテンツの組合せごとに（組合せに関連づけて），ユーザＩＤ，コンテンツＩＤ，受講可能期間，ユーザが登録した学習開始日時およびデータ最終変更ユーザＩＤを含む。ユーザ設定スケジュールデータは，ユーザとフォルダ（チャプター）の組合せに関連づけて，またはユーザにのみ関連づけて作成することもできる。
【００６２】
受講可能期間は，講師が設定するものであり，上述したグループ化（所属ＩＤ，入社入学年度，事前アンケート結果などによるグループ化）にしたがって，グループごとに設定することが好ましい。受講可能期間は開始マスタ（開始日時）と終了マスタ（終了日時）を含む。受講者はこの開始日時から終了日時の間の自分の都合のよい（実践可能な）日時を，学習開始日時として設定（支援装置12に入力）することができる。受講者が設定した学習開始日時が，ユーザが登録した学習開始日時として図８のユーザ設定スケジュールデータ・ファイルに記憶される。学習開始日時の設定は１回のみやり直すことができる。最初に設定した学習開始日時が１回目，やり直したものが２回目として記憶される。データ最終変更ユーザＩＤは，学習開始日時を最後に設定したユーザのＩＤで，一般には受講者であるが，講師等の場合もあり得る。
【００６３】
学習可能な時間の幅はあらかじめ定められており，この実施例はすべての科目，チャプター，コンテンツについて一律に１時間と固定されている。この時間幅を起動可能時間（帯）という。受講者が設定した学習開始日時から始って，起動可能時間の間，受講者はｅラーニングによる学習を行うことができる。学習開始日時から起動可能時間を加えた日時が学習終了日時である。たとえば１コンテンツの長さ（連続的に上映される長さ）が16分であったとすると，受講者は１時間の間に繰返し最大４回受講（学習）することができる（実際の学習開始時点が学習開始日時からカウントして起動可能時間内に入っていればよい）。学習終了日時の直前，たとえば１分前に，学習を開始することも可能で，この場合は１回のコンテンツが終了すると，そのコンテンツについてはもはや学習を行うことはできない。起動可能時間は講師が支援装置12において，科目ごと，チャプターごと，もしくはコンテンツごと，または受講者ごと，もしくは受講者のグループごとに設定するようにしてもよい。
【００６４】
図９は学習開始告知データファイルの一例を示すものである。支援装置12は受講者のＰＣ14に，学習開始日時の所定時間前に，学習開始警告（学習開始時間警告）メールを送信する（警告手段）。この所定時間は，希望の時間を受講者が支援装置12に設定（入力）することができる。受講者によって設定された所定時間が学習開始警告時間（学習開始時間警告送付時間）である。すなわち，学習開始告知データファイルには，科目ＩＤ，ユーザＩＤごとに（に関連づけて），またはユーザに関連づけて，受講者ＰＣの告知メール送信先アドレスおよび受講者が設定した学習開始警告時間が記憶されている。
【００６５】
図10は進捗データの一例を示すものである。これは受講者が実際に学習（受講）した（または，しなかった）事実を記録するものである。ユーザＩＤごと（ユーザに関連づけて），コンテンツＩＤごとに，実際の受講開始日時および受講終了日時，ならびに終了ステータスを記録する。終了ステータスは，そのコンテンツを最後まで視聴したときに１に設定され，途中で視聴を止めたときは０である。たとえば，コンテンツＩＤがcou100101 については，受講開始日時が2015/4/1 15:00，受講終了日時が同年同月同日15:10 となっていて，終了ステータスが０である（１行目）。この受講者は，受講を一時的に停止した後，再び同年同月同日の15:20に受講を開始し，15:45に受講を修了しており，これで１つのコンテンツのすべてについて学習を終了したので修了ステータスは１になっている（２行目）。進捗データは，受講者の受講の毎に，管理装置11が受講開始日時，同終了日時および修了ステータスをユーザＩＤ，コンテンツＩＤとともに，支援装置12に送信し，このデータを支援装置12が受信して進捗データファイルに格納することになる。
【００６６】
図11は受講ステータス管理データファイルの一例を示す。このデータファイルには，科目ＩＤごとに，ユーザＩＤごとに（科目とユーザの組合せに関連づけて），そのユーザのその科目についての受講ステータスが記憶されている。受講ステータスについて，０は一般，１はシルバー，２はゴールド，３はプラチナである。支援装置12は，定期的に，進捗データファイル（図10）と，ユーザ設定スケジュールデータ・ファイル（図９）をチェックし，ユーザごとに，そのユーザが特定の科目について学習開始日時の変更なしに，受講（学習）を継続的に実施しているかどうか，継続的に実施している場合にはその回数を計数し，受講ステータスマスタ（図７）を参照して上昇条件を満たしたときに受講ステータスを１段階上昇させる処理を行い，その処理結果を受講ステータスとして受講ステータス管理データファイル（図11）に記録する（受講ステータス変更手段）。この受講ステータスは，後述するように，受講者が支援装置12をアクセスしたときに，その画面に表示される。
【００６７】
管理装置11はコンテンツを管理して，要求されたコンテンツを受講者用ＰＣ14に送信するとともに受講（学習）の経過をチェックしてその結果を支援装置12に通知する。管理装置11のデータベースにはコンテンツに関するデータ，たとえばコンテンツＩＤごとに，登録者，作製者，著作権者，再生時間（標準学習時間），上述したタイプ等が格納され，さらにコンテンツそのもののデータが格納されている。
【００６８】
支援装置12のデータベースに格納される上述したマスタ，データ等のうち，講師が設定（入力）すべきもの，および講師が設定することが好ましいものがある。以下に，講師による設定について，図12および図13のフローチャートおよび図14〜図17の表示画面を参照して説明する。図12および図13は基本的には支援装置12における設定処理を示し，図14から図17は講師用ＰＣ13の表示装置の表示画面を示す。支援装置12と講師用ＰＣ13とはネットワーク10を通して通信しながら，各種設定処理を行う。すなわち，支援装置12は講師用ＰＣ13に表示画面を送り，講師用ＰＣ13において入力された指令，データを受取って設定処理を行う。
【００６９】
図12において，まず講師は支援装置12にログインする。これにより，講師を特定する識別符号が支援装置12に入力される。識別符号はユーザＩＤでもよいし，他のＩＤやパスワードでもよい。他のＩＤやパスワードは支援装置12内においてユーザＩＤと関連づけられる。この後，講師用ＰＣ13において科目を選択することになる。科目マスタ（図４）において，科目ＩＤ，ユーザＩＤ，科目名，科目開始日時および同終了日時は既に，設定入力されているものとする。ログインした講師（ユーザＩＤ）に該当する科目名（好ましくは，そのすべて）が科目マスタから読出され，支援装置12から図14に示すような表示画面が講師用ＰＣ13に送られ，その表示装置に表示される。講師は講師用ＰＣ13において各種設定を行う科目を選択する（たとえば，ポインティングしてクリックする）。この選択結果は講師用ＰＣ13から支援装置12に送信される。支援装置12は選択された科目を認識する（図12，Ｓ11）
【００７０】
講師が設定する項目は，支援装置支援期間（図４），受講可能期間（図８），受講者登録可能期間（図５）および受講ステータス上昇条件（図７）であり，好ましくは起動可能時間（帯）も設定できるようにするとよい。
【００７１】
これらの期間（時間）や条件について，講師は３つの方法により設定することができる。その一つは，個別設定である（Ｓ13）。その二はデフォルト設定であり（Ｓ14），その三は既設定の変更（Ｓ15）である。講師用ＰＣ13上の設定方法選択画面（図示略）において，いずれかが選択され，その結果が支援装置12に送られ，支援装置12は選択された設定方法を認識し，選択された設定方法の処理に進む（Ｓ12）。
【００７２】
デフォルト設定は，次の通りである。上記の期間や条件について，複数のデフォルトパターンが支援装置12に用意されており，そのデフォルトパターンが講師用ＰＣ13に表示されるので，講師はそのうちの一つを選択する。選択結果は講師用ＰＣ13から支援装置12に送信される（支援装置支援期間設定手段，受講可能期間設定手段，登録可能期間設定手段，受講ステータス変更条件設定手段）。
【００７３】
支援装置12においてあらかじめ用意され，その記憶装置に記憶されているパターンの例を次に挙げる。
【００７４】
デフォルトパターン１
受講者全員同一設定
支援装置支援期間の開始，終了日は科目開始，終了日と同じ
受講可能期間は支援装置支援期間と同じ
受講者登録可能期間は，支援装置支援期間の開始日から１週間後
変更なし５回継続受講したらステータスが一つ上昇
デフォルトパターン２
受講者全員同一設定
支援装置支援期間の開始日は科目開始日と同じ，終了日は科目終了日の２週間前
受講可能期間はフォルダごとに，フォルダ開講日から１週間
受講者登録可能期間は，各フォルダの受講可能期間前１週間
変更なし３回継続受講したらステータスが一つ上昇
科目開始日は科目マスタ（図４）に記憶されている。フォルダ開講日，コンテンツ開講日は，１回の受講（学習）分で区切って，科目開始日から順次一定期間（たとえば１週間）おきに割り振って定められる。
【００７５】
講師用ＰＣ13において，既設定の変更が選択された場合には，支援装置12において上記の各期間または条件が読出されて講師用ＰＣ13に送られ表示される。そのうちの一つが選択されると，支援装置12との交信により既設定の期間（開始日，終了日等）が講師用ＰＣ13に表示されるので，表示画面上で，該当する日時等をポインティングしたり，キーボード等から変更後の日時を入力することができる。この入力結果は支援装置12に送られ，支援装置12のデータベースにおける各種マスタ，データファイルの該当箇所に，選択された，または変更された日時等のデータが記憶される（支援装置支援期間設定手段，受講可能期間設定手段，登録可能期間設定手段，受講ステータス変更条件設定手段）。
【００７６】
個別設定の場合には，上記の各期間や条件が個々に講師用ＰＣ13から入力され，支援装置12に送られることになる（図13参照）。
【００７７】
支援装置支援期間はその開始日と終了日が入力される。カレンダーを表示装置に表示してカレンダー上で入力させるようにしてもよい。支援装置12において，入力された開始日と終了日が科目マスタの該当科目に対応して記憶される（図13，Ｓ21）（支援装置支援期間設定手段）。
【００７８】
受講可能期間は，図４の受講可能期間ステータス（図４）にあるように，チャプター単位，コンテンツ単位，科目開講期間の３つのステータスがあるので，講師用ＰＣ13においていずれかのステータスが選択される。そして，選択されたステータスに応じて期間（開始マスタ，終了マスタ）が入力される。フォルダ単位，コンテンツ単位のときにはフォルダごと，コンテンツごとに期間が入力される。また，必要に応じて，グループを設定し，グループごとに異なる期間を設定することもできる。支援装置12は講師用ＰＣ13において入力されかつ送信されたステータスと受講可能期間をデータベースの該当箇所に登録する（図４，図８）（Ｓ22）（受講可能期間設定手段）。図15は，講師用ＰＣ13においてフォルダ（チャプター）ごとに設定，全受講者に同じ期間を設定するを選択し，カレンダーでその期間が入力される様子を示している。この図にはプルダウンリスト（下線を引いたもの以外）も位置を変えて同時に表示されている。受講可能期間はコンテンツごとに設定することもできる。設定された受講可能期間は後述する確認ののちユーザ設定スケジュールデータ・ファイル（図８）に格納される。
【００７９】
受講者登録可能期間も，図４を参照して説明したように，４つのステータスがあるので，これらのステータスに応じて，科目全体か，フォルダ単位か，コンテンツ単位か，設定しない（支援装置の支援期間と同じ）が選択される。そして，選択されたステータスに応じて受講者登録可能期間が入力される。フォルダ単位の場合には，フォルダごとに，コンテンツ単位の場合にはコンテンツごとに期間が入力される。講師用ＰＣ13において入力された受講者登録可能期間は支援装置12に送信され，後述する確認ののちコンテンツマスタ（図５）に登録される（Ｓ23）（登録可能期間設定手段）。
【００８０】
受講ステータス上昇条件は，図16に示すような条件のリストが講師用ＰＣ13に表示されるので，講師は所望のものを選択して入力することができる。デフォルトで設定できるようにしてもよい。入力された上昇条件は支援装置12に送信され，確認ののち，受講ステータスマスタ（図７）に登録される（Ｓ24）（受講ステータス変更条件設定手段）。必要であれば，起動可能期間も講師用ＰＣ13から入力され，支援装置12に送信され，たとえば科目マスタに記憶される（Ｓ25）（起動可能期間設定手段）。
【００８１】
最終的に，選択した科目について，設定された各期間，条件が講師用ＰＣ13の表示画面に図17に示すように表示されるので，講師は確認ののち，設定を確定することができる。設定が確定されると（「この条件で設定する」がクリックされると），入力された各期間，条件が講師用ＰＣ13から支援装置12に送られ対応するマスタ，データファイルに格納される。「条件を変更する」ことも可能である。
【００８２】
一つの科目について設定が終了したら，図12，Ｓ11に戻って他の科目についての設定を繰返してもよい。すなわち，他の科目がある場合には同じように各期間と条件の設定が可能である。
【００８３】
図18は支援装置12における受講者による学習開始日時（図８）（学習スケジュールまたは受講スケジュール）や学習開始警告時間（図９）の設定処理，および受講者の学習の管理処理の手順を示すフローチャートであり，図19は管理装置11によるコンテンツ配信管理の手順を示すフローチャートである。受講者用ＰＣ14と支援装置12と管理装置11はネットワークを通して通信しながらこれらの処理が行なわれる。
【００８４】
受講者が受講者用ＰＣ14から支援装置12にログインする。これにより，受講者のユーザＩＤが支援装置12に入力される。受講者のユーザＩＤそれ自体を入力しなくても，ユーザＩＤと関連づけられた受講者を特定する識別符号であればよい。受講者用ＰＣ14の表示装置には，図20に示すように，受講するのか，設定済みの学習（受講）スケジュールを確認するのか，学習スケジュールを設定（登録）するのか（変更を含む）を選択する画面が表示される。受講者はいずれかを選択するので，その選択結果が受講者用ＰＣ14から支援装置12に送信される。支援装置12はこれを受信してその選択を認識する（図18，Ｓ31）。
【００８５】
受講者が学習（受講）スケジュールの設定（登録）を選択したと支援装置12が認識したときには，支援装置12はアクセスしてきた受講者の所属（図３）等に応じてその受講者が受講すべき科目名を並べて表示した図21に示すような科目選択画面を受講者用ＰＣ14に送信し，受講者用ＰＣ14の表示装置上に表示させる。この表示画面には，コンテンツマスタ（図５）の受講者登録可能期間のデータにしたがって，登録すべき期間（登録可能期間）も表示される。受講者が受講予定の科目を受講者用ＰＣ14において選択すると，そのデータが支援装置12に送られ，受信される（Ｓ32）。支援装置12は選択された科目を認識する。
【００８６】
支援装置12は次に，図22に示すような，選択された科目について学習開始日時（受講スケジュール）の設定を促す画面を作成して受講者用ＰＣ14に送るので，その表示装置に表示される。この表示画面には，受講スケジュール（学習開始日時）を設定するのか，変更するのか，学習開始時間警告を設定するのかの選択を促すとともに，受講にあたっての注意事項が表示される。受講者は，学習開始日時の設定または変更（修正）ののち，再びこの画面に戻り，再度の修正や，学習開始時間警告の設定を行うこともできる。
【００８７】
学習開始日時の設定または変更が選択された旨が受講者用ＰＣ14から支援装置12に通知されると（Ｓ33），支援装置12は選択された科目について，その時点（日時）において，登録可能期間内のコンテンツまたはフォルダがあるかどうか，かつそれが受講可能かどうかを，コンテンツマスタ（図５）およびユーザ設定スケジュールデータ・ファイル（図８）を参照してチェックし（Ｓ34），これから登録可能なコンテンツを特定した図23に示すような画面を作成して受講者用ＰＣ14に送信する。受講者はこの画面をみて，まだ登録していず，これから受講するコンテンツまたはフォルダについて，学習開始日時を受講者用ＰＣ14において設定（または変更）する。この設定データは支援装置12に送られる（Ｓ35）。図23に示すように，カレンダー上において学習開始日時を設定できれば設定が容易である。既に学習開始日時を登録したコンテンツまたはフォルダについては，表示しないようにすることが望ましい。
【００８８】
支援装置12は受講者用ＰＣ14から送られる登録データを受信すると，新たに設定された学習開始日時が受講可能期間（図８）内に入っているかどうかをチェックし（Ｓ36），入っていればユーザ設定スケジュールデータ・ファイル内にユーザが登録した学習開始日時として登録する（Ｓ37）（学習スケジュール設定手段）。入っていない場合は，やり直しを行なわせる。
【００８９】
既に登録した学習開始日時を変更する場合には，支援装置12は変更を希望するコンテンツまたはフォルダの学習開始日時を表わした画面を受講者用ＰＣ14に送り，受講者用ＰＣの画面上で修正の上，返送させる。上述したように，学習開始日時の変更は１回に限り許されるので，既に変更した日時については変更できない。１回目の変更後の学習開始日時が，そのコンテンツ等の受講可能期間内であれば学習開始日時の２回目のデータとしてユーザ設定スケジュールデータ・ファイルに登録する。このようにして，新たに登録（または変更）された学習開始日時は，図24に示すような画面を用いて，支援装置12から該当する受講者のＰＣ14に送信され，表示される。図24において，設定したスケジュールには学習開始日時から，それに起動可能時間（１時間）を加えた時間までの時間帯が学習開始可能な時間帯として示されている。
【００９０】
図22に示す画面に応答して，受講者が「自分へのリマインド（学習開始時間警告）を設定」を選択した場合には，その旨が受講者用ＰＣ14から支援装置12に送信されるので，支援装置12はこのことを認識する（Ｓ41）。その後，受講者用ＰＣ14から支援装置12に，送信先のメールアドレスと学習開始警告時間に関するデータが送られてくるので（科目は既に選択されている），支援装置12はこれらのデータを，それを送信した受講者のユーザＩＤに対応させて，学習開始告知データ・ファイル（図９）に格納する（Ｓ42）（警告時間設定手段）。
【００９１】
支援装置12は定期的に学習開始告知データ・ファイル（図９）とユーザ設定スケジュールデータ・ファイル（図８）をチェックし，学習開始告知データが設定されている受講者のＰＣ14に対して，設定されている学習開始日時よりも警告時間分前の時間に，学習開始の警告メッセージを送る（警告手段）。
【００９２】
図20の画面において，受講者が受講（学習）を選択した場合，すなわち受講者用ＰＣ14からのアクセスが受講要求の場合には，支援装置12はその時点でログインした受講者が受講可能な（学習可能な）科目のコンテンツがあるかどうかを，科目マスタ（図４），コンテンツマスタ（図５）およびユーザ設定スケジュールデータ（図８）を参照してチェックする（Ｓ51）。受講可能とは，受講者のアクセスした時刻が，その受講者（ユーザＩＤ）に関して，いずれかの科目のコンテンツについての学習開始可能時間帯（学習開始日時の時点から，それに起動可能時間を加えた時点まで）に入っていることである。この時間帯に入っていれば，支援装置12はその科目（チャプターまたはコンテンツ）について，その受講者に学習を許可する（コンテンツ送信許可手段）。学習（コンテンツの送信）を許可すると，支援装置12はその科目（コンテンツまたはチャプター）と受講（学習）可能時間帯を，ログインしてきた受講者用ＰＣ14に通知する（Ｓ52）。この学習許可通知画面（コンテンツ送信許可通知画面）の一例が図25に示されている。この画面は受講者用ＰＣ14に表示される。図25の画面では２つの科目の学習スケジュールが一部重複して表示されている。このような学習許可通知画面には，学習を許可したコンテンツ（チャプターのコンテンツ）へのリンク（ＨＴＭＬによるハイパーリンク）が張られている。すなわち，図25の画面に表示された科目（コンテンツ）に関連してそのコンテンツへのファイルパス（ＵＲＬ）（図５）が設定されているので，受講者用ＰＣ14の画面上において，受講しようとする科目（コンテンツ）の表示をクリック（ポイント）すると，受講者用ＰＣ14から直接にネットワーク10を介して管理装置11の該当コンテンツのページにアクセス（ジャンプ）することができる。
【００９３】
管理装置11はこのアクセスがあったときには（図19，Ｓ61），該当するコンテンツのデータを該当する受講者用ＰＣ14に送信するので（Ｓ62）（コンテンツ送信手段），受講者はそのＰＣ14でコンテンツを視聴して学習することができる。
【００９４】
管理装置11は該当受講者ＰＣへのコンテンツの配信を監視している（Ｓ63）。配信が終ると，コンテンツが最後まで配信できたかどうか（コンテンツの最後まで視聴したかどうか）という結果と，受講開始および終了日時を，受講者のユーザＩＤ（または受講者用ＰＣを特定するデータ）（受講者を特定するデータ）およびコンテンツＩＤとともに支援装置12に報告する（Ｓ64）。支援装置12はこの結果報告を該当するユーザＩＤ，コンテンツＩＤに対応して進捗データファイル（図10）に格納する（図18，Ｓ53）。
【００９５】
図20または図25の画面で受講スケジュールの確認が指定されたときには，支援装置12は，その旨を受講者用ＰＣ14から受取ると，ユーザ設定スケジュールデータファイル（図８）等を参照して，その受講者に関して，図26に示すような学習（受講）スケジュール画面（既に終了したものを含む）を作成して，受講者用ＰＣ14に送信する。受講者用ＰＣには，この学習スケジュール画面が表示される。なお，この画面のフォルダ（コンテンツを含む）またはコンテンツのうち，その時点で学習可能なコンテンツの表示には，管理装置11の該当ページへのリンクが設定されているので（コンテンツ送信許可），この画面から直接に受講（学習）が可能である。学習スケジュールの設定，変更も可能である。
【００９６】
上記実施例では，受講を開始するときに，受講者用ＰＣ14は支援装置12に最初にアクセスしているが，受講者用ＰＣ14から直接に管理装置11にログインしてもよい。この場合には，管理装置11は，ログインした受講者が指定するコンテンツがその時点で受講可能か，または受講者がアクセスした時点でその受講者に受講可能なコンテンツがあるかどうかを支援装置12に問合せ，可能である場合には，該当するコンテンツを該当する受講者用ＰＣ14に送信する。または，受講者用ＰＣから管理装置11に最初にアクセスがあったときに，管理装置11は，アクセスしてきた受講者のユーザ設定スケジュールデータを支援装置12から送信してもらい，その受講者について受講の可否を判断するようにしてもよい。
【００９７】
また，支援装置12内の各種マスタファイル，データファイルの一部または全部を管理装置11内に設けてもよい。さらに，管理装置11およびそのデータベース，ならびに支援装置12およびそのデータベースの全部または一部をクラウドコンピューティングによって実現することもできる。
【符号の説明】
【００９８】
10  自己調整型学習システム
11  コンテンツ管理装置
12  自己調整学習支援装置
13  講師用ＰＣ
14  受講者用ＰＣ
【図２】
2016224382.tif 000003
【図３】
2016224382.tif 000004
【図４】
2016224382.tif 000005
【図５】
2016224382.tif 000006
【図６】
2016224382.tif 000007
【図７】
2016224382.tif 000008
【図８】
2016224382.tif 000009
【図９】
2016224382.tif 000010
【図１０】
2016224382.tif 000011
【図１１】
2016224382.tif 000012
【図１２】
2016224382.tif 000013
【図１３】
2016224382.tif 000014
【図１４】
2016224382.tif 000015
【図１６】
2016224382.tif 000016
【図１７】
2016224382.tif 000017
【図１８】
2016224382.tif 000018
【図１９】
2016224382.tif 000019
【図２０】
2016224382.tif 000020
【図２１】
2016224382.tif 000021
【図２２】
2016224382.tif 000022
【図２４】
2016224382.tif 000023
【図２５】
2016224382.tif 000024
【図２６】
2016224382.tif 000025
【図１】
2016224382.tif 000026
【図１５】
2016224382.tif 000027
【図２３】
2016224382.tif 000028